(57)【特許請求の範囲】
【請求項１】
器体の内部に、換気扇への電源供給を入切する開閉素子と、前記器体の前面に露設された操作子のオン／オフ操作に応じて前記開閉素子を開閉させる開閉制御部と、前記換気扇の運転時間を積算する積算回路部と、積算回路部の積算値が表示時間に達すると運転時間が表示時間に達したことを表示する表示部とを収納し、
前記積算回路部の積算値をリセットするためのリセットスイッチを前記器体の前面に配置するとともに、リセットスイッチのリセット操作に応じて積算回路部の積算値をリセットするリセット回路部を器体の内部に収納し、
前記リセットスイッチを露出する位置と前記リセットスイッチを覆う位置とを選択自在として前記器体の前面に取着されたスイッチカバーを備え、
前記器体の前面の略全体を覆うような寸法に形成され、前記器体の前面に回動自在に取着されて、裏面で前記操作子を押操作自在とした操作ハンドルを備え、
前記リセットスイッチに対向する操作ハンドルの部位に開口窓を貫設し、前記開口窓を露出させる状態と前記開口窓を覆う状態とを選択自在として前記操作ハンドルの前面に取着されたハンドルカバーで前記スイッチカバーを構成したことを特徴とする換気扇スイッチ。
【請求項２】
前記器体の前面に前記表示時間を設定するための時間設定部を配置し、前記スイッチカバーにより、前記時間設定部を露出する位置と前記時間設定部を覆う位置とを選択自在としたことを特徴とする請求項１記載の換気扇スイッチ。
【請求項３】
不揮発性メモリからなり、前記表示時間の候補値が複数登録された表示時間記憶部を備え、前記時間設定部は、前記表示時間を表示時間記憶部に登録された複数の候補値の何れかに択一的に切り替えることを特徴とする請求項２記載の換気扇スイッチ。
【請求項４】
前記表示時間が予め設定された不揮発性メモリからなる表示時間記憶部を具備することを特徴とする請求項１記載の換気扇スイッチ。
【請求項５】
器体の内部に、換気扇への電源供給を入切する開閉素子と、前記器体の前面に露設された操作子のオン／オフ操作に応じて前記開閉素子を開閉させる開閉制御部と、前記換気扇の運転時間を積算する積算回路部と、積算回路部の積算値が表示時間に達すると運転時間が表示時間に達したことを表示する表示部とを収納し、前記積算回路部の積算値をリセットするためのリセットスイッチを前記器体の前面に配置するとともに、リセットスイッチのリセット操作に応じて積算回路部の積算値をリセットするリセット回路部を器体の内部に収納し、
前記リセットスイッチを露出する位置と前記リセットスイッチを覆う位置とを選択自在として前記器体の前面に取着されたスイッチカバーと、前記器体の前面に配置されて前記表示時間を設定するための時間設定部と、不揮発性メモリからなり前記表示時間の候補値が複数登録された表示時間記憶部を備え、
前記スイッチカバーにより、前記時間設定部を露出する位置と前記時間設定部を覆う位置とを選択自在とし、
前記時間設定部は、前記表示時間を表示時間記憶部に登録された複数の候補値の何れかに択一的に切り替えることを特徴とする換気扇スイッチ。
【請求項６】
不揮発性メモリからなり、前記換気扇の運転時間が所定の単位時間だけ増加する毎に前記積算回路部の積算値が書き込まれる積算値記憶部を設け、前記積算回路部は、電源投入時に積算値記憶部から読み込んだ積算値を初期値として運転時間の積算を開始することを特徴とする請求項１乃至５の何れかに記載の換気扇スイッチ。
【請求項７】
リセット回路部は、前記積算回路部の積算値が表示時間を超えた状態でリセットスイッチによるリセット操作が行われた場合に積算値をリセットすることを特徴とする請求項１乃至６の何れかに記載の換気扇スイッチ。
【請求項８】
積算回路部の積算値が表示時間に達した時点から一定時間が経過するまでの間に前記リセットスイッチが操作されない場合に報知動作を行う報知手段を設けたことを特徴とする請求項１乃至７の何れかに記載の換気扇スイッチ。
【請求項９】
器体の内部に、換気扇への電源供給を入切する開閉素子と、前記器体の前面に露設された操作子のオン／オフ操作に応じて前記開閉素子を開閉させる開閉制御部と、前記換気扇の運転時間を積算する積算回路部と、積算回路部の積算値が表示時間に達すると運転時間が表示時間に達したことを表示する表示部とを収納し、
前記積算回路部の積算値をリセットするためのリセットスイッチを前記器体の前面に配置するとともに、リセットスイッチのリセット操作に応じて積算回路部の積算値をリセットするリセット回路部を器体の内部に収納し、
前記リセットスイッチを露出する位置と前記リセットスイッチを覆う位置とを選択自在として前記器体の前面に取着されたスイッチカバーを備え、
換気扇および商用電源の直列回路が電気的に接続されるとともに、前記開閉素子の両端がそれぞれ電気的に接続される一対の接続端子と、前記換気扇のオフ時には前記接続端子を介して流れる前記換気扇の洩れ電流から内部回路の動作電源を生成するとともに、前記換気扇のオン時には商用電源のゼロクロス点から前記開閉素子がオンするまでに前記接続端子を介して供給される電力を電源として前記動作電源を生成する電源回路部とを具備したことを特徴とする換気扇スイッチ。
【請求項１０】
不揮発性メモリからなる履歴記憶部を設け、前記積算回路部の積算値が前記表示時間に達するまでの経過時間情報と、前記積算値が前記表示時間に達してから前記リセットスイッチによるリセット操作が行われるまでの時間情報とを少なくとも含む履歴情報を履歴記憶部に記憶させたことを特徴とする請求項１乃至９の何れかに記載の換気扇スイッチ。
【請求項１１】
前記開閉制御部は、前記開閉素子のオン時に前記操作子が所定の操作時間以上押し操作されると、前記開閉素子をオフさせることを特徴とする請求項１乃至１０の何れかに記載の換気扇スイッチ。
【発明の詳細な説明】
【技術分野】
【０００１】
本発明は、換気扇、特に常時換気設備に用いる換気扇をオン／オフするための換気扇スイッチに関するものである。
【背景技術】
【０００２】
この種の換気扇スイッチとしては、換気扇をオン／オフするための操作スイッチと、操作スイッチのオン操作時から所定の動作保持時間を限時するタイマ回路と、オン操作時からタイマ回路の限時動作が終了するまでの間換気扇をオン動作させる負荷制御回路とを備えたものが従来より提供されている（例えば特許文献１参照）。
【０００３】
また近年、シックハウス対策として、ホルムアルデヒドを発散する建材を使用していない場合でも、家具からの発散があるために、原則として全ての建築物に機械換気設備（所謂常時換気設備）の設置が義務付けられることになった。この常時換気設備に用いる換気扇は原則的に常時運転し続けるため、フィルタが目詰まりを起こすまでの期間が短く、フィルタが目詰まりを起こすと換気効率が低下するので、換気扇が一定時間運転されると、フィルタの清掃を使用者に促す表示を行う表示ランプが換気扇スイッチに設けられていた。
【０００４】
このような換気扇スイッチは、換気扇の運転時間を積算する積算回路部と、積算回路部の積算値が所定の表示時間に達すると、表示ランプを点滅させる制御回路と、積算回路部の積算値をリセットするためのリセットスイッチとを備えている。換気扇が長時間動作して、表示ランプが点滅された際に、使用者が表示ランプの点滅状態を見てフィルタの清掃を終えると、リセットスイッチを用いて積算回路部をリセットすることで、積算回路部の積算動作を再開させていた。
【特許文献１】特開２００１−２２７８０４号公報
【発明の開示】
【発明が解決しようとする課題】
【０００５】
上記構成の換気扇スイッチでは、換気扇スイッチの機能面（前面）にリセットスイッチが露設されているため、リセットスイッチが不用意に操作されて、運転時間の積算値がリセットされてしまう可能性があった。そのため、所定の表示時間を越えて換気扇が運転されることになり、フィルタが汚れたままで換気扇が使用され続ける可能性があった。また換気扇スイッチの機能面にリセットスイッチを配置しているため、換気扇のオン／オフを行うための操作子と間違えて、リセット操作を行ってしまう可能性もあった。また従来の換気扇スイッチでは上記の表示時間が予め設定された時間で固定のため、表示時間の変更が容易に行えないという問題もあった。
【０００６】
本発明は上記問題点に鑑みて為されたものであり、その目的とするところは、リセットスイッチが不用意に操作されるのを防止した換気扇スイッチを提供するにある。また請求項３の発明の目的とするところは、上記の目的に加えて、表示を開始する時間の変更が容易に行える換気扇スイッチを提供するにある。
【課題を解決するための手段】
【０００７】
上記目的を達成するために、請求項１の発明は、器体の内部に、換気扇への電源供給を入切する開閉素子と、器体の前面に露設された操作子のオン／オフ操作に応じて開閉素子を開閉させる開閉制御部と、換気扇の運転時間を積算する積算回路部と、積算回路部の積算値が表示時間に達すると運転時間が表示時間に達したことを表示する表示部とを収納し、積算回路部の積算値をリセットするためのリセットスイッチを器体の前面に配置するとともに、リセットスイッチのリセット操作に応じて積算回路部の積算値をリセットするリセット回路部を器体の内部に収納し、リセットスイッチを露出する位置とリセットスイッチを覆う位置とを選択自在として器体の前面に取着されたスイッチカバーを備え、器体の前面の略全体を覆うような寸法に形成され、器体の前面に回動自在に取着されて、裏面で操作子を押操作自在とした操作ハンドルを備え、リセットスイッチに対向する操作ハンドルの部位に開口窓を貫設し、開口窓を露出させる状態と開口窓を覆う状態とを選択自在として操作ハンドルの前面に取着されたハンドルカバーでスイッチカバーを構成したことを特徴とする。
【０００８】
この発明によれば、スイッチカバーが、リセットスイッチを露出する位置とリセットスイッチを覆う位置とを選択自在として器体の前面に取着されているので、スイッチカバーでリセットスイッチを覆うことによって、リセットスイッチの不用意な操作を防止できる。しかも、換気扇をオン／オフするための操作子は器体の前面に露設されているのに対して、リセットスイッチはスイッチカバーで覆われているので、換気扇をオン／オフするためのスイッチと間違えてリセットスイッチが操作されるのを防止できる。
【００１０】
しかも、ハンドルカバーが、開口窓を露出する位置と開口窓を覆う位置とを選択自在として操作ハンドルに取着されており、このハンドルカバーでリセットスイッチを覆うことによって、リセットスイッチの不用意な操作を防止できる。
【００１１】
請求項２の発明は、請求項１の発明において、器体の前面に表示時間を設定するための時間設定部を配置し、スイッチカバーにより、時間設定部を露出する位置と時間設定部を覆う位置とを選択自在としたことを特徴とする。
【００１２】
この発明によれば、時間設定部を用いて表示時間を変更することができ、そのうえスイッチカバーで時間設定部を覆うことによって、時間設定部の設定が不用意に変更されるのを防止できる。
【００１３】
請求項３の発明は、請求項２の発明において、不揮発性メモリからなり、表示時間の候補値が複数登録された表示時間記憶部を備え、時間設定部は、表示時間を表示時間記憶部に登録された複数の候補値の何れかに択一的に切り替えることを特徴とする。
【００１４】
この発明によれば、時間設定部は、表示時間記憶部に登録された複数の候補値の何れかに表示時間を切り替えているので、表示時間を変更したい場合にも、換気扇スイッチ自体を変更することなく、表示時間記憶部に登録された候補値を書き換えることによって容易に対応することができる。
【００１５】
請求項４の発明は、請求項１の発明において、表示時間が予め設定された不揮発性メモリからなる表示時間記憶部を具備することを特徴とする。
この発明によれば、表示時間記憶部に表示時間が予め登録されているので、ユーザ自身が表示時間を設定するための手段を設ける必要が無く、換気扇スイッチの製造コストを低減することができる。
【００１６】
請求項５の発明は、器体の内部に、換気扇への電源供給を入切する開閉素子と、器体の前面に露設された操作子のオン／オフ操作に応じて開閉素子を開閉させる開閉制御部と、換気扇の運転時間を積算する積算回路部と、積算回路部の積算値が表示時間に達すると運転時間が表示時間に達したことを表示する表示部とを収納し、積算回路部の積算値をリセットするためのリセットスイッチを器体の前面に配置するとともに、リセットスイッチのリセット操作に応じて積算回路部の積算値をリセットするリセット回路部を器体の内部に収納し、リセットスイッチを露出する位置とリセットスイッチを覆う位置とを選択自在として器体の前面に取着されたスイッチカバーと、器体の前面に配置されて表示時間を設定するための時間設定部と、不揮発性メモリからなり表示時間の候補値が複数登録された表示時間記憶部を備え、スイッチカバーにより、時間設定部を露出する位置と時間設定部を覆う位置とを選択自在とし、時間設定部は、表示時間を表示時間記憶部に登録された複数の候補値の何れかに択一的に切り替えることを特徴とする。
この発明によれば、スイッチカバーが、リセットスイッチを露出する位置とリセットスイッチを覆う位置とを選択自在として器体の前面に取着されているので、スイッチカバーでリセットスイッチを覆うことによって、リセットスイッチの不用意な操作を防止できる。しかも、換気扇をオン／オフするための操作子は器体の前面に露設されているのに対して、リセットスイッチはスイッチカバーで覆われているので、換気扇をオン／オフするためのスイッチと間違えてリセットスイッチが操作されるのを防止できる。しかも、時間設定部を用いて表示時間を変更することができ、そのうえスイッチカバーで時間設定部を覆うことによって、時間設定部の設定が不用意に変更されるのを防止できる。さらに、時間設定部は、表示時間記憶部に登録された複数の候補値の何れかに表示時間を切り替えているので、表示時間を変更したい場合にも、換気扇スイッチ自体を変更することなく、表示時間記憶部に登録された候補値を書き換えることによって容易に対応することができる。
【００１７】
請求項６の発明は、請求項１乃至５の何れかの発明において、不揮発性メモリからなり、換気扇の運転時間が所定の単位時間だけ増加する毎に積算回路部の積算値が書き込まれる積算値記憶部を設け、積算回路部は、電源投入時に積算値記憶部から読み込んだ積算値を初期値として運転時間の積算を開始することを特徴とする。
【００１８】
この発明によれば、積算回路部では、復電時に積算値記憶部から読み込んだ積算値を初期値として運転時間の積算を開始しているので、停電が発生しても積算値が失われるのを防止できる。しかも、所定の単位時間が経過する毎に積算値記憶部に記憶させた値を１ずつ増加させるようにすれば、積算値記憶部に記憶された値に単位時間を乗算することによって、多少の誤差はあるものの現在の積算値を求めることができ、そのうえ積算値をそのままの値で記憶させる場合に比べて、積算値記憶部に記憶容量の小さい不揮発性メモリを使用できるから、停電時に積算値を保持する機能を低コストで実現できる。
【００１９】
請求項７の発明は、請求項１乃至６の何れかの発明において、リセット回路部は、積算回路部の積算値が表示時間を超えた状態でリセットスイッチによるリセット操作が行われた場合に積算値をリセットすることを特徴とする。
【００２０】
この発明によれば、積算値が表示時間に達していない状態で誤ってリセット操作が行われた場合でも積算値がリセットされるのを防止できる。
【００２１】
請求項８の発明は、請求項１乃至７の何れかの発明において、積算回路部の積算値が表示時間に達した時点から一定時間が経過するまでの間にリセットスイッチが操作されない場合に報知動作を行う報知手段を設けたことを特徴とする。
【００２２】
この発明によれば、報知手段が報知動作を行うことによって、使用者に対してフィルタの清掃を促すことができる。
【００２３】
請求項９の発明は、器体の内部に、換気扇への電源供給を入切する開閉素子と、器体の前面に露設された操作子のオン／オフ操作に応じて開閉素子を開閉させる開閉制御部と、換気扇の運転時間を積算する積算回路部と、積算回路部の積算値が表示時間に達すると運転時間が表示時間に達したことを表示する表示部とを収納し、積算回路部の積算値をリセットするためのリセットスイッチを器体の前面に配置するとともに、リセットスイッチのリセット操作に応じて積算回路部の積算値をリセットするリセット回路部を器体の内部に収納し、リセットスイッチを露出する位置とリセットスイッチを覆う位置とを選択自在として器体の前面に取着されたスイッチカバーを備え、換気扇および商用電源の直列回路が電気的に接続されるとともに、開閉素子の両端がそれぞれ電気的に接続される一対の接続端子と、換気扇のオフ時には接続端子を介して流れる換気扇の洩れ電流から内部回路の動作電源を生成するとともに、換気扇のオン時には商用電源のゼロクロス点から開閉素子がオンするまでに接続端子を介して供給される電力を電源として動作電源を生成する電源回路部とを具備したことを特徴とする。
【００２４】
この発明によれば、スイッチカバーが、リセットスイッチを露出する位置とリセットスイッチを覆う位置とを選択自在として器体の前面に取着されているので、スイッチカバーでリセットスイッチを覆うことによって、リセットスイッチの不用意な操作を防止できる。しかも、換気扇をオン／オフするための操作子は器体の前面に露設されているのに対して、リセットスイッチはスイッチカバーで覆われているので、換気扇をオン／オフするためのスイッチと間違えてリセットスイッチが操作されるのを防止できる。しかも、電源回路部は、換気扇のオフ時には一対の接続端子を介して流れる換気扇の洩れ電流から動作電源を生成し、換気扇のオン時には商用電源のゼロクロス点から開閉素子がオンするまでに接続端子を介して供給される電力を電源として動作電源を生成しているので、一般的なスイッチと同様の結線方法で配線することができる。したがって、一般的なスイッチと同様に配線設計を行うことができ、既設のスイッチに置き換えて換気扇スイッチを施工する作業を容易に行うことができる。
【００２５】
請求項１０の発明は、請求項１乃至９の何れかの発明において、不揮発性メモリからなる履歴記憶部を設け、積算回路部の積算値が表示時間に達するまでの経過時間情報と、積算値が表示時間に達してからリセットスイッチによるリセット操作が行われるまでの時間情報とを少なくとも含む履歴情報を履歴記憶部に記憶させたことを特徴とする。
【００２６】
この発明によれば、履歴記憶部には、積算値が表示時間に達するまでの経過時間情報と、積算値が表示時間に達してからリセット操作が行われるまでの時間情報とを少なくとも含む履歴情報が記憶されているので、この履歴情報をもとに換気扇の使用状態を推定することが可能になる。
【００２７】
請求項１１の発明は、請求項１乃至１０の何れかの発明において、開閉制御部は、開閉素子のオン時に操作子が所定の操作時間以上押し操作されると、開閉素子をオフさせることを特徴とする。
【００２８】
この発明によれば、操作子を所定の操作時間以上押操作しなければ、開閉素子がオフされないので、換気扇を不用意に停止してしまうのを防止できる。
【発明の効果】
【００２９】
本発明によれば、スイッチカバーが、リセットスイッチを露出する位置とリセットスイッチを覆う位置とを選択自在として器体の前面に取着されているので、スイッチカバーでリセットスイッチを覆うことによって、リセットスイッチの不用意な操作を防止できるという効果がある。しかも、換気扇をオン／オフするための操作子は器体の前面に露設されているのに対して、リセットスイッチはスイッチカバーで覆われているので、換気扇をオン／オフするためのスイッチと間違えてリセットスイッチが操作されるのを防止できるという効果もある。
【発明を実施するための最良の形態】
【００３０】
以下に本発明の実施の形態を図面に基づいて説明する。
【００３１】
（実施形態１）
本発明の実施形態１を図１〜図７に基づいて説明する。本発明に係る換気扇スイッチは、常時換気設備に用いる換気扇への電源供給を入切するために用いられるものであり、換気扇のフィルタの清掃時期を表示する機能を備えている。
【００３２】
図３は換気扇スイッチＡの要部を示すブロック図であり、この換気扇スイッチＡは、換気扇Ｆへの電源供給を入切する開閉素子（図示せず）を具備し、後述の制御回路１から入力される制御信号に応じて、開閉素子を開閉させる換気扇オンオフ回路２と、例えば発光ダイオードからなりフィルタの清掃時期を点灯状態で表示する表示ランプ３（表示部）と、換気扇Ｆの運転時間を積算する積算タイマ１ａを具備し、換気扇Ｆをオン／オフするための操作スイッチＳＷ１や積算タイマ１ａからの入力に応じて換気扇オンオフ回路２や表示ランプ３などの動作を制御する制御回路１と、表示時間を設定するための表示時間設定部４と、リセットスイッチＳＷ２の操作に応じてリセット信号を発生するリセット回路部５と、例えばＥＥＰＲＯＭやフラッシュメモリのような不揮発性メモリからなるメモリ６とを主要な構成として備える。
【００３３】
制御回路１は、操作スイッチＳＷ１によるオン／オフ操作に応じて、換気扇オンオフ回路２にオンオフ信号を出力し、換気扇Ｆを運転又は停止させる。また制御回路１は、換気扇Ｆの運転時間をカウント（積算）する積算タイマ１ａ（積算回路部）を備え、積算タイマ１ａによる運転時間の積算値が、表示時間設定部４により設定された表示時間に達すると、表示ランプ３を点滅させて、使用者にフィルタの清掃時間が来たことを報知する。また表示ランプ３により点滅表示を行っている状態で、リセットスイッチＳＷ２のリセット操作に応じてリセット回路部５からリセット信号が入力されると、制御回路１は積算タイマ１ａの積算値をリセットし、その後換気扇Ｆが運転を再開すると、積算タイマ１ａにより積算時間をゼロから積算させる。
【００３４】
また図４は換気扇スイッチＡの全体を示すブロック回路図であり、換気扇Ｆと商用電源ＡＣとの直列回路が接続される一対の接続端子Ｔａ，Ｔｂを備える。接続端子Ｔａ，Ｔｂ間には例えばトライアックのような開閉素子２ａが接続されており、開閉駆動部２ｂが制御回路１から入力される制御信号に応じて開閉素子２ａをオン／オフするようになっている。ここに開閉素子２ａと開閉駆動部２ｂとで上述の換気扇オンオフ回路２が構成される。また開閉駆動部２ｂと制御回路１とで、操作スイッチＳＷ１の操作に応じて開閉素子を開閉させる開閉制御部が構成される。
【００３５】
また接続端子Ｔａ，Ｔｂには、ダイオードブリッジからなる全波整流器ＤＢの交流接続端子がそれぞれ接続されている。全波整流器ＤＢの直流接続端子間には、高インピーダンスの限流素子である抵抗器Ｒ１を介して電源回路７が接続されており、この電源回路７から制御回路１に動作電源が供給されている。また抵抗器Ｒ１の両端間には、制御回路１によってオン／オフが制御されるスイッチ素子ＳＷ３と限流素子である抵抗器Ｒ２との直列回路が接続されており、抵抗器Ｒ２のインピーダンスは抵抗器Ｒ１に比べて低インピーダンスに設定されている。
【００３６】
なお電源回路７は、接続端子Ｔａ，Ｔｂ間を流れる電流によって充電されるコンデンサのような充電要素（図示せず）を備えている。ここで、換気扇Ｆのオフ時は、制御回路１が開閉駆動部２ｂにオフ信号を出力して、開閉素子２ａをオフさせるとともに、スイッチ素子ＳＷ３をオフさせており、この場合には抵抗器Ｒ１を介して電源回路７に電流が供給される。抵抗器Ｒ１のインピーダンスは、接続端子Ｔａ，Ｔｂ間を流れる電流によって換気扇Ｆが動作しないような高インピーダンスに設定されており、抵抗器Ｒ１のみを介して電源回路７に電流が供給される。一方、換気扇Ｆをオンする際は、制御回路１が、開閉素子２ａを開極させた状態で、先ずスイッチ素子ＳＷ３をオンさせ、低インピーダンスの抵抗器Ｒ２を介して電源回路７に急速に電流を供給する。その後、電源回路７が規定の電圧まで充電されると、制御回路１は、開閉駆動部２ｂにオン信号を出力して、開閉素子２ａをオンさせており、開閉素子２ａは負荷電流がゼロクロスするまでオン状態を継続する。負荷電流のゼロクロス点で開閉素子２ａがオフすると、制御回路１は先ずスイッチ素子ＳＷ３をオンして電源回路７を急速に充電した後、開閉素子２ａをオンさせて、負荷電流が再度ゼロクロスするまで、換気扇Ｆに電源を供給する。以上の動作を繰り返し行うことによって電源回路７が充電されるとともに換気扇Ｆがオン動作する。このように、電源回路７では、換気扇Ｆのオフ時には接続端子Ｔａ，Ｔｂを介して流れる換気扇Ｆの洩れ電流から動作電源を生成し、換気扇Ｆのオン時には商用電源ＡＣのゼロクロス点から開閉素子２ａがオンするまでに、接続端子Ｔａ，Ｔｂを介して供給される電力を電源として動作電源を生成しているので、一対の接続端子Ｔａ，Ｔｂ間に商用電源ＡＣと換気扇Ｆとの直列回路を接続することが可能になり、一般的なスイッチと同様の結線方法で配線することができる。したがって、一般的なスイッチと同様に配線設計を行うことができ、既設のスイッチに置き換えて換気扇スイッチＡを施工する作業を容易に行うことができる。
【００３７】
次に本実施形態の換気扇スイッチの構造を図１及び図２に基づいて説明する。尚、以下の説明では特に断りがないかぎり、図２（ａ）に示す向きにおいて上下左右の方向を規定し、同図（ａ）の正面を前面として説明を行う。したがって、図２（ｂ）における右端は後端となる。
【００３８】
換気扇スイッチＡの器体１０は直方体状であって、合成樹脂により前面が開口した略箱状に形成されたボディ１１と、合成樹脂により後面が開口した略箱状に形成されて、ボディ１１の開口部に被着されるカバー１２とで形成されている。すなわち、カバー１２の上下面の後端縁からは後方に向かって各一対の組立片１２ａが延設され、組立片１２ａに設けた組立孔１２ｂがボディ１１の上下両面に形成してある組立突起１１ａに係合することによって、ボディ１１とカバー１２とが結合されている。
【００３９】
器体１０は埋込配線器具を造営面に埋込配設する際に用いる従来周知の取付枠（図示せず）に取着可能であって、その左右方向の寸法は取付枠が備える窓孔の左右方向寸法（短手方向寸法）と略等しい寸法に形成されている。また器体１０の前部を形成するカバー１２の左右両側面には、取付枠の窓孔を囲む左右両側片に設けた器具取付孔（図示せず）に係合可能な取付爪１３が一対ずつ突設してあり、取付爪１３が取付枠の器具取付孔に係合することによって、器体１０が取付枠に保持されるようにしてある。なおカバー１２の左右方向における一方の側壁（右側壁）には、一対の取付爪１３が突設された部位の上下両側部に後端が開放された２本の切り込み溝１４が前後方向に沿って形成されており、２本の切り込み溝１４の間の部位は厚み方向に可撓性を有する撓み片１５を形成している。カバー１２内において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。なお撓み片１５の後端部外側面には撓み片１５の押し込みを容易にするために操作突起１５ａが突設されている。
【００４０】
而して器体１０を取付枠に取り付ける際には、カバー１２の左側壁に設けた取付爪１３を取付枠の器具取付孔に挿入するとともに、右側壁に設けた取付爪１３をカバー１２の側面から後退させるようにして取付枠の窓孔に器体１０を挿入すれば、右側壁の取付爪１３が器具取付孔に挿入されて器体１０が取付枠に保持される。また撓み片１５をカバー１２の内側に押し込むようにすれば、撓み片１５に設けた取付爪１３が器具取付孔から抜けるので、器体１０を取付枠から容易に取り外すことができる。
【００４１】
ところで、上述の取付枠は、規格化された単位モジュール寸法（１個モジュール寸法）の埋込型配線器具を短幅方向に３個並べて取付可能な１連の取付枠であって、換気扇スイッチＡの器体１０は２個モジュール寸法に形成されており、図１に示すように１個モジュール寸法に形成されたスイッチなどの他の配線器具Ｂと並設することができる。なお取付枠は壁面などの造営面に取り付けられ、器体１０の後部は造営面に開口する取付穴に埋設される。また取付枠の前面側には、取付枠の窓孔よりも長寸かつ幅広の窓孔５１を備える化粧プレート５０が重ね合わせて配置され、この化粧プレート５０の窓孔５１から換気扇スイッチＡの機能面や配線器具Ｂの機能面が露出するようになっている。
【００４２】
器体１０の内部には、上述した図３および図４の回路を構成する回路部品や、外部電線を接続するための複数の端子などを実装したプリント配線板（図示せず）が収納されている。プリント配線板に実装される個々の端子は、ボディ１１の後壁に形成された電線挿入孔１６を通して器体１０内に挿入される外部電線を、導電性を有する板ばねからなる鎖錠ばねのばね力によって接続保持する速結端子（図示せず）で構成してある。また鎖錠ばねを押圧して電線の鎖錠状態を解除するための解除釦（図示せず）も器体１０内に収納されており、ボディ１１の後壁には解除釦を操作するための操作孔１７が電線挿入孔１６の近傍に形成してある。なお複数の端子としては上述した接続端子Ｔａ，Ｔｂがある。
【００４３】
器体１０（つまりカバー１２）の前面には、タクトスイッチからなる操作スイッチＳＷ１の操作子（図示せず）と、表示時間設定部４を構成するロータリスイッチの回転摘み１８と、タクトスイッチからなるリセットスイッチＳＷ２の押釦１９と、表示ランプ３とが、カバー１２に開口した窓孔（図示せず）を通して露出している。なお、回転摘み１８と操作スイッチＳＷ１の操作子と押釦１９とは、カバー１２前面の左右方向略中央に上下に並べて配置されている。また表示ランプ３はカバー１２前面の左端部に配置されている。
【００４４】
また器体１０の前面側には、操作スイッチＳＷ１の操作子を操作するための操作ハンドル２０が器体１０前面の略全体を覆う形で回動自在に取着されている。すなわちカバー１２前面の左側端部には、操作ハンドル２０を枢着するための軸部（図示せず）が設けられており、この軸部に操作ハンドル２０後面の左端部に設けた軸受部（図示せず）を枢支させることで、操作ハンドル２０が器体１０に対して回動自在に取着される。なお軸受部には操作ハンドル２０を反操作方向に付勢するための付勢ばね（図示せず）を設けてあり、操作ハンドル２０は図２（ｄ）中の左回りに付勢されている。而して操作ハンドル２０の右側部を押操作すると、操作ハンドル２０が軸部を支点に回動し、操作ハンドル２０の後面に設けた押突起（図示せず）によって操作スイッチＳＷ１の操作子が押されて、操作スイッチＳＷ１がオンになる。一方、操作ハンドル２０を押操作する力を無くすと、操作ハンドル２０は操作スイッチＳＷ１の操作子などの反力を受けて復帰位置に戻り、操作スイッチＳＷ１がオフになる。
【００４５】
操作ハンドル２０は合成樹脂により矩形板状に形成されており、左右方向の寸法が化粧プレート５０の窓孔５１の左右方向（短手方向）寸法と略同じ寸法に形成され、上下方向の寸法が窓孔５１の上下方向（長手方向）寸法の略３分の２の寸法に形成されている。操作ハンドル２０前面の左端部には前方に突出する突台部２１が上下方向に沿って形成されており、突台部２１よりも右側の薄肉部２５には回転摘み１８と押釦１９とをそれぞれ露出させる開口窓２２ａ，２２ｂが貫設されている。また突台部２１の上下方向における略中央部には透孔２４が形成され、この透孔２４には透光性を有する合成樹脂により形成された導光部材２３が嵌め込まれている。而して器体１０内に収納された表示ランプ３の光が、操作ハンドル２０に保持された導光部材２３を通して操作ハンドル２０の前面側に出射されるようになっている。このように操作ハンドル２０の前面には、表示時間設定部４の回転摘み１８とリセットスイッチＳＷ２の押釦１９が露出しているので、後述のハンドルカバー２６を開けた状態では、表示時間の設定やリセット操作を行えるようになっている。一方、リセット操作時や表示時間の調整時以外では、リセットスイッチＳＷ２の押釦１９と表示時間設定部４の回転摘み１８とがハンドルカバー２６によって覆われているので、不用意に押釦１９や回転摘み１８が操作されて、積算値がリセットされたり、表示時間が変更されるのを防止できる。しかも、ハンドルカバー２６を閉じている状態では操作ハンドル２０のみが前面に露出し、リセットスイッチＳＷ２はハンドルカバー２６に隠されて見ることができず、操作が行えないようになっているので、換気扇Ｆをオン／オフするためのスイッチと間違えてリセットスイッチＳＷ２が操作されるのを防止できる。
【００４６】
また操作ハンドル２０には、回転摘み１８や押釦１９が露出する部位を開閉自在に覆うハンドルカバー２６が取着されている。ハンドルカバー２６は左右方向及び上下方向の寸法が、それぞれ、薄肉部２５の左右方向及び上下方向の寸法と略同じ寸法に形成されている。そして、このハンドルカバー２６の左側部の上下両端部からは側方に向かって突出する一対のアーム２７，２７が突設され、各アーム２７の先端部には、突台部２１の上下両面に設けた軸穴（図示せず）に枢支される軸（図示せず）が突設されている。而して、各アーム２７の軸を突台部２１の軸穴に枢支させることで、ハンドルカバー２６が開口窓２２ａ，２２ｂを露出させる状態と、開口窓２２ａ，２２ｂを覆う状態とを選択自在として操作ハンドル２０の前面に取着されている。なおハンドルカバー２６は、例えば操作ハンドル２０に保持させた鉄片を、ハンドルカバー２６の裏面に取着した永久磁石の磁力で吸着することによって、閉じた状態を保持するようになっている。
【００４７】
次にこの換気扇スイッチＡの動作を図５（ａ）（ｂ）に基づいて説明する。この換気扇スイッチＡは、常時換気設備に用いる換気扇Ｆのオン／オフ制御を行うために用いられ、積算タイマ１ａにより換気扇Ｆの運転時間を積算し、積算値が所定の表示時間に達すると表示ランプ３を点滅させて使用者にフィルタの清掃を促すようになっている。
【００４８】
初期使用時およびリセット状態では積算タイマ１ａの積算値がリセットされ、ゼロになっている（図５（ａ）の状態Ｄ１）。例えば表示ランプ３によりフィルタ清掃の表示を行っている状態で使用者がフィルタを清掃した後に、ハンドルカバー２６を開いて押釦１９を押操作すると（図中の動作Ｅ３）、リセットスイッチＳＷ２がオンになって、リセット回路部５から制御回路１にリセット信号が送出される。この時、制御回路１はリセット回路部５からのリセット信号を受けて積算タイマ１ａの積算値をリセットする（リセット状態）。リセット状態において制御回路１が換気扇オンオフ回路２をオンさせて、換気扇Ｆに電源が供給されると、積算タイマ１ａが運転時間の積算（カウント）を開始し（図中の動作Ｅ１）、積算タイマ１ａがカウント状態に移行する（図中の状態Ｄ２）。その後、積算タイマ１ａの積算値が所定の表示時間に達すると（図中の動作Ｅ２）、制御回路１は例えば表示ランプ３を点滅させて、使用者に対してフィルタ清掃を促す表示を行うフィルタ掃除表示状態に移行する（図中の状態Ｄ３）。
【００４９】
このように制御回路１では、積算タイマ１ａにより換気扇Ｆの運転時間を積算させ、その積算値が所定の表示時間に達すると、表示ランプ３を点滅させているので、表示ランプ３の表示により使用者に対してフィルタ清掃を促すことができる。そして、フィルタ掃除表示状態Ｄ３において使用者がハンドルカバー２６を開けて、リセットスイッチＳＷ２の押釦１９を操作すると、制御回路１が、リセット回路部５からのリセット信号に応じて積算タイマ１ａの積算値をリセットする。そしてリセット状態Ｄ１において換気扇Ｆが運転を再開すると、制御回路１は積算タイマ１ａによる運転時間の積算動作を再び開始させるようになっている。なお制御回路１では、フィルタ掃除表示状態Ｄ３以外の状態Ｄ１，Ｄ２（つまり積算時間が表示時間に達していない状態）で、リセットスイッチＳＷ２の操作に応じてリセット回路部５からリセット信号が入力されたとしても（図中の動作Ｅ４，Ｅ５）、このリセット信号に応じて積算タイマ１ａのリセットを行わないようになっており、運転時間の積算途中で積算値がリセットされるのを防止している。
【００５０】
また制御回路１では、停電発生時に積算タイマ１ａの積算値が失われるのを防止するために、積算タイマ１ａの積算値が所定の単位時間だけ増加する毎に現在の積算値を積算値記憶部たるメモリ６に書き込んでおり、電源投入時にメモリ６から読み込んだ積算値を初期値として積算タイマ１ａにより積算を開始させている。図６に示すように時刻ｔ０において積算タイマ１ａが積算動作を開始し、積算タイマ１ａの積算値が単位時間ΔＴ（８時間）ずつ増加する毎（時刻ｔ１，ｔ２，ｔ３，ｔ４）に、制御回路１はカウント値を０から１ずつ増加させて、メモリ６に書き込む。その後、時刻ｔ５に停電が発生して時刻ｔ６で復電すると、制御回路１はメモリ６からカウント値（４）を読み込んで、現在の運転時間を４×８＝３２時間と判断する。そして、制御回路１は、この時のカウント値（４）を初期値として積算タイマ１ａによる積算動作を開始させており、時刻ｔ６から単位時間ΔＴが経過する毎にカウント値を４から１ずつ増加させて、メモリ６に書き込まれたカウント値を更新する。このように制御回路１では、単位時間ΔＴが経過する毎にメモリ６に記憶させた値を１ずつ増加させているので、メモリ６に記憶された値に単位時間ΔＴを乗算することによって、多少の誤差（最大で８時間）はあるものの現在の運転時間を求めることができる。しかも、運転時間をそのままの値で記憶させる場合に比べて、メモリ６に記憶容量の小さい不揮発性メモリを使用できるから、停電時に運転時間を保持する機能を低コストで実現できる。なおカウント値を更新する間隔（単位時間）を短くすれば、積算値の精度は向上するが、その分だけメモリ６に記憶可能な時間が短くなるので、商品寿命と要求される精度とから単位時間を決定すれば良い。
【００５１】
ところで、履歴記憶部たるメモリ６には複数の格納領域６ａで構成されるルーピングバッファを設けてあり（図７参照）、制御回路１では、電源投入時の上記カウント値や、点滅表示を開始するまでの経過時間情報（運転時間）や、点滅表示を行ってからリセット操作を行うまでの経過時間情報のデータを、書き込みポインタ６ｂで示される格納領域６ａに書き込むようにしてある。また制御回路１は、使用当初に電源が投入されると、制御回路１によりこの時のカウント値（０）が上記ルーピングバッファに書き込まれる。また停電が復旧した際に制御回路１がメモリ６からカウント値を読み出した場合は、このときのカウント値もメモリ６のルーピングバッファに書き込まれる。なおメモリ６に書き込まれるデータの数が格納領域の数を超えると、書き込みポインタがルーピングバッファの初期番地に戻り、古いデータを消去して新しいデータを書き込むようになっている。このように点滅表示が発生するまでの経過時間や、リセット操作を行うまでの経過時間の履歴情報をメモリ６に記憶しておくことで、この履歴情報を不具合の発生要因の推定に利用できる。例えばリセット操作を行うまでの経過時間が、フィルタ掃除に要する標準的な作業時間に比べて異常に短い場合は、フィルタを掃除することなくリセット操作だけを行ったと判断でき、フィルタの掃除が適正に行われていなかったと推定することができる。また点滅表示が発生するまでの経過時間を記憶しておくことで、使用者が表示時間の設定を変更したか否かを判断することもできる。なお履歴情報を記憶する履歴記憶部は、上述のカウント値を記憶する積算値記憶部（メモリ６）と同じメモリを使用すれば、メモリの数を増やさずに済み、換気扇スイッチＡを低コストで実現することができる。
【００５２】
また、本実施形態の換気扇スイッチＡは常時換気設備に用いる換気扇Ｆをオン／オフするためのものであり、原則的に換気扇Ｆは常時運転されるものなので、換気扇Ｆが不用意にオフされないようになっている。すなわち図５（ｂ）の状態遷移図に示すように、制御回路１が換気扇オンオフ回路２にオン信号を出力して、換気扇Ｆを動作させている状態（図中の状態Ｄ４）で、操作ハンドル２０が所定の操作時間（例えば３秒間）以上連続押しされ（図中の動作Ｅ７）、操作スイッチＳＷ１が上記操作時間以上連続してオン状態になると、制御回路１が換気扇オンオフ回路２にオフ信号を出力して、換気扇Ｆをオフ（停止）させる（図中の状態Ｄ５）。その後、換気扇Ｆが停止している状態で、操作ハンドル２０が押操作されると（図中の動作Ｅ８）、制御回路１に操作スイッチＳＷ１のオン信号が与えられ、制御回路１が換気扇オンオフ回路２にオン信号を出力して、換気扇Ｆをオン（運転）させる（図中の状態Ｄ４）。なお換気扇Ｆの運転中に操作ハンドル２０が押操作されたとしても、操作ハンドル２０を押操作する時間が上記操作時間未満であれば（図中の動作Ｅ９）、制御回路１はオフ信号を出力せずに、換気扇Ｆをオンし続けており、換気扇Ｆが不用意にオフ操作されるのを防止することができる。
【００５３】
また本実施形態の換気扇スイッチＡでは、表示時間を設定するための表示時間設定部４を備えており、表示時間設定部４を用いて、フィルタ掃除を報知するまでの時間を調整することができる。なお表示時間設定部４としては例えば複数の切替位置を有するロータリスイッチや可変抵抗器を用いることができ、回転摘み１８の回転位置に応じて、予め設定された複数の候補値の何れかに表示時間を設定できるようになっている。ここで、図３（ａ）に示す例では回転摘み１８の切替位置がＡ〜Ｋまで１１通りに切り替えられるようになっており、上述の実施形態では各切替位置に応じた表示時間の設定値が予め設定された値で固定されているが、各切替位置における表示時間の設定値（候補値）をメモリ６に書き込んでおき、回転摘み１８の切換位置に対応する表示時間をメモリ６から読み込んで、設定するようにしても良い。表１は各々の切替位置Ａ〜Ｋに対応した表示時間の設定の一例であり、メモリ６に書き込んだ設定値を書き換えることによって、表示時間の設定値を変更することができるから、表示時間の設定範囲を変更する場合にもスイッチ自体を取り替えることなく、メモリ６に書き込んだ設定値を変更するだけで容易に対応することができる。
【００５４】
【表１】
0004674499.tif 000002
【００５５】
なお表示時間の候補値を記憶する表示時間記憶部は、上述のカウント値を記憶する積算値記憶部（メモリ６）と同じメモリを使用すれば、メモリの数を増やさずに済み、換気扇スイッチＡを低コストで実現することができる。
【００５６】
（実施形態２）
本発明の実施形態２を図８に基づいて説明する。上述した実施形態１では表示時間を切替設定するための表示時間設定部４を設けているのに対して、本実施形態では表示時間設定部４を無くして、メモリ６に表示時間を記憶させている。尚、表示時間設定部４を無くした点以外は実施形態１と同様であるので、共通する構成要素には同一の符号を付して、その説明は省略する。
【００５７】
本実施形態では表示時間設定部４を無くしているので、ハンドルカバー２６を開けると、操作ハンドル２０の薄肉部２５にはリセットスイッチＳＷ２の押釦１９しかなく、スイッチの使用方法が単純になるから、使用者に分かりやすいという利点があり、また使用者が表示時間を自由に選択するのではなく、メーカ側で決定することができる。また表示時間設定部４を無くすことで、回路構成を簡単にして、コストダウンを図ることもできる。さらに、表示時間を記憶する表示時間記憶部は、上述のカウント値を記憶する積算値記憶部（メモリ６）と同じメモリを使用すれば、メモリの数を増やさずに済み、換気扇スイッチＡを低コストで実現することができる。
【００５８】
（実施形態３）
本発明の実施形態３を図９および図１０に基づいて説明する。本実施形態では、上述の実施形態１において、表示ランプ３が点滅表示を行ってから、一定時間が経過してもリセット操作が行われない場合に鳴動するブザー８を設けている。尚、ブザー８以外の構成は実施形態１と同様であるので、同一の構成要素には同一の符号を付してその説明は省略する。
【００５９】
実施形態１で説明したように換気扇Ｆが運転中は積算タイマ１ａが運転時間を積算しており（図９（ｂ）の状態Ｄ２）、積算タイマ１ａの積算値が所定の表示時間に達すると（図中の動作Ｅ２）、制御回路１は表示ランプ３を所定周期で点滅させて、使用者に対してフィルタ清掃を促す表示を行うフィルタ掃除表示状態に移行する（図中の状態Ｄ３）。ここで、表示ランプ３による点滅表示を開始させてから一定時間が経過するまでの間にリセットスイッチＳＷ２によるリセット操作が行われた場合は（図中の動作Ｅ１２）、制御回路１が、積算タイマ１ａの積算値をリセットし、その後換気扇Ｆが運転を再開すると積算動作を再開させている（図中の状態Ｄ２）。一方、表示ランプ３による点滅表示を開始させてから一定時間が経過するまでの間にリセットスイッチＳＷ２によるリセット操作が行われなかった場合（図中の動作Ｅ１０）、制御回路１はブザー８を鳴動させ（図中の状態Ｄ６）、ブザー８の鳴動音で使用者に対してフィルタ掃除を促している。そしてブザー鳴動中にリセットスイッチＳＷ２によるリセット操作が行われると（図中の動作Ｅ１１）、制御回路１は、積算タイマ１ａの積算値をリセットし、その後換気扇Ｆが運転を再開すると積算動作を再開させている（図中の状態Ｄ２）。
【００６０】
ところで、本実施形態では報知手段として鳴動音で報知動作を行うブザー８を用いているが、ブザー８を設ける代わりに、表示ランプ３を報知手段として兼用しても良い。すなわち、図１０に示すように積算タイマ１ａの積算値が所定の表示時間に達すると（図中の動作Ｅ２）、制御回路１は表示ランプ３を所定周期で点滅させて、使用者に対してフィルタ清掃を促す表示を行うフィルタ掃除表示状態に移行するとともに（図中の状態Ｄ３）、表示ランプ３による点滅表示を開始させてから一定時間が経過するまでの間にリセットスイッチＳＷ２によるリセット操作が行われなかった場合は（図中の動作Ｅ１０）、表示ランプ３の点滅周期を短くして、表示ランプ３を高速点滅させている（図中の状態Ｄ７）。このように表示ランプ３が点滅動作を開始してから一定時間が経過しても、フィルタの清掃が行われない場合は表示ランプ３の点滅周期を短くすることで、使用者に対してフィルタの清掃を強く促すことができる。
【００６１】
なお本実施形態では実施形態１で説明した換気扇スイッチＡに報知手段を設けているが、実施形態２で説明した換気扇スイッチＡに上述の報知手段を設けても良いことは言うまでもない。
【００６２】
また本発明の精神と範囲に反することなしに、広範に異なる実施形態を構成することができることは明白なので、この発明は、特定の実施形態に制約されるものではない。
【図面の簡単な説明】
【００６３】
【図１】実施形態１の換気扇スイッチの施工状態を示し、（ａ）はハンドルカバーを閉じた状態の正面図、（ｂ）はハンドルカバーを開いた状態の正面図である。
【図２】同上の換気扇スイッチを示し、（ａ）は正面図、（ｂ）は右側面図、（ｃ）は背面図、（ｄ）は下面図である。
【図３】（ａ）は同上の換気扇スイッチのブロック図、（ｂ）は表示時間設定部の説明図である。
【図４】同上の換気扇スイッチのブロック回路図である。
【図５】（ａ）（ｂ）は同上の換気扇スイッチの動作を説明する状態遷移図である。
【図６】同上の換気扇スイッチの動作を説明するタイムチャートである。
【図７】同上の換気扇スイッチに用いるメモリの格納領域の説明図である。
【図８】実施形態２の換気扇スイッチのブロック図である。
【図９】実施形態３の換気扇スイッチを示し、（ａ）はブロック図、（ｂ）は動作を説明する状態遷移図である。
【図１０】同上の換気扇スイッチの異なる構成の動作を説明する状態遷移図である。
【符号の説明】
【００６４】
Ａ  換気扇スイッチ
１８  回転摘み
１９  押釦
２０  操作ハンドル
２６  ハンドルカバー
【図１】
0004674499.tif 000003
【図２】
0004674499.tif 000004
【図３】
0004674499.tif 000005
【図４】
0004674499.tif 000006
【図５】
0004674499.tif 000007
【図６】
0004674499.tif 000008
【図７】
0004674499.tif 000009
【図８】
0004674499.tif 000010
【図９】
0004674499.tif 000011
【図１０】
0004674499.tif 000012